(57)【特許請求の範囲】
【請求項１】
波形屋根の頂部より突設したボルト体に固定される屋根上取付具において、
取付具本体は、上部に屋根上物品を設置する屋根上物品取付部、底部に上記波形屋根に載置される屋根載置部を備えた構造とされ、
上記屋根載置部の中央部には、上記取付具本体を上記波形屋根の頂部に設置したときに、上記ボルト体に螺着されるナットおよび山座金と接触しないような上げ底部が形成され、該上げ底部の中央には、内周に拡開爪片を具設したボルト挿通孔よりなるボルト係止部が形成され、該拡開爪片で上記ボルト挿通孔より突出したボルト体に係止する構成となっていることを特徴とする屋根上取付具。
【請求項２】
請求項１において、
上記取付具本体が、上記屋根上物品取付部と上記屋根載置部とが離隔・重合された横筒体よりなる屋根上取付具。
【請求項３】
請求項１において、
上記取付具本体が、上記屋根上物品取付部と上記屋根載置部とが平面視で並んで配された折曲板体よりなる屋根上取付具。
【請求項４】
請求項１において、
上記取付具本体が略門形体よりなる屋根上取付具。
【請求項５】
請求項１〜４のいずれか１項において、
上記ボルト係止部が上記取付具本体と一体に形成されている屋根上取付具。
【請求項６】
請求項１〜４のいずれか１項において、
上記ボルト係止部が上記取付具本体とは別体に形成されている屋根上取付具。
【発明の詳細な説明】
【技術分野】
【０００１】
本発明は、波形屋根の頂部より突設したボルト体に固定される屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類よりなる屋根上物品を配設することが実施されており、従来には、このような屋根上物品を屋根上に取り付けるための種々の屋根上取付具が提案されている。
【０００３】
特に、波形屋根の頂部で隣接する屋根材を重ねた重合部をボルト体とナットとの螺着によって固定した構造のものでは、その頂部において、屋根の下方より屋根を貫通して屋根上に突設させた屋根材連結のためのボルト体を、対向する挟着片で挟み込んで固定する構成とした屋根上取付具も提案されている（例えば、特許文献１参照）。
【０００４】
この屋根上取付具は、両脚片を備えて断面略門形に形成した本体部と、その両脚片の下端から対向するように延びた両挟着片とを備えており、両脚片を横方向に貫く緊締用ボルト、ナットで緊締して、ボルト体に両挟着片を挟着させて取り付ける構造となっている。このような取付構造によれば、両挟着片の先端部がボルト体のネジ部のネジ溝に食い込む構造であるため、屋根上取付具が外れる可能性は低い。
【先行技術文献】
【特許文献】
【０００５】
【特許文献１】特開２０１０−７７６９２号公報
【発明の概要】
【発明が解決しようとする課題】
【０００６】
しかしながら、上記従来の屋根上取付具では、両脚片を緊締用ボルトとナットにより緊締しなければならないから、屋根上での作業量が多くなり、熟練した者でなければ迅速に取り付けることができなかった。
【０００７】
さらに、緊締の加減によってはボルト体への固定が十分とはならず、屋根上物品の負荷によって、ずれたり外れたりするおそれもあった。また、緊締による固定であるため、屋根上取付具間で固定度合のばらつきが発生するおそれもあった。
【０００８】
本発明は、このような事情を考慮して提案されたもので、その目的は、波形屋根の頂部より突設したボルト体に対して一定の固定強度で、簡単かつ迅速に取り付けることができる屋根上取付具を提供することにある。
【課題を解決するための手段】
【０００９】
上記目的を達成するために、請求項１に記載の屋根上取付具は、波形屋根の頂部より突設したボルト体に固定される屋根上取付具において、取付具本体は、上部に屋根上物品を設置する屋根上物品取付部、底部に波形屋根に載置される屋根載置部を備えた構造とされ、屋根載置部の中央部には、取付具本体を波形屋根の頂部に設置したときに、ボルト体に螺着されるナットおよび山座金と接触しないような上げ底部が形成され、該上げ底部の中央には、内周に拡開爪片を具設したボルト挿通孔よりなるボルト係止部を備え、該拡開爪片でボルト挿通孔より突出したボルト体に係止する構成となっていることを特徴とする。
【００１０】
請求項２に記載の屋根上取付具は、取付具本体が、屋根上物品取付部と屋根載置部とが離隔・重合された横筒体よりなる。
【００１１】
請求項３に記載の屋根上取付具は、取付具本体が、屋根上物品取付部と屋根載置部とが平面視で並んで配された折曲板体よりなる。
【００１２】
請求項４に記載の屋根上取付具は、取付具本体が略門形体よりなる。
【００１３】
請求項５に記載の屋根上取付具は、ボルト係止部が取付具本体と一体に形成されている。
【００１４】
請求項６に記載の屋根上取付具は、ボルト係止部が取付具本体とは別体に形成されている。
【発明の効果】
【００１５】
請求項１に記載の屋根上取付具によれば、取付具本体の屋根載置部が、内周に拡開爪片を具設したボルト挿通孔よりなるボルト係止部を備え、このボルト係止部で、ボルト挿通孔より突出したボルト体に係止する構成となっているので、波形屋根の頂部より突設したボルト体をボルト係止部で係止させるだけで取付具本体を取り付けることができ、取付作業を簡単かつ迅速に行える。
【００１６】
また、拡開爪片は種々の径のボルト体に対応させることができるから、１種の屋根上取付具を径の異なる種々のボルト体に対応させて利用でき、そのためボルト体の形状、サイズに合わせて多くの種類の取付具本体を準備する必要がない。これによって、製品種を少なくでき、在庫管理を簡易化することもできる。さらに、ボルト体をボルト挿通孔に嵌挿させるだけの取付構造であるため、屋根上取付具間の固定強度をばらつきなく均一にすることができる。
【００１７】
請求項２に記載の屋根上取付具によれば、取付具本体が屋根上物品取付部と屋根載置部とが離隔・重合された横筒体よりなるので、屋根上取付具をコンパクトなサイズに構成でき、また屋根上物品取付部と屋根載置部とが離隔・重合された状態にあるので、屋根上物品をしっかりと屋根上に取り付けることができる。
【００１８】
請求項３に記載の屋根上取付具によれば、取付具本体が屋根上物品取付部と屋根載置部とが平面視で並んで配された折曲板体よりなるので、屋根上取付具を簡易に成形できる。また、屋根載置部には上方に空間があいているので、取付状態を視認しやすく、点検がしやすい。特にボルト係止部を別体としたものでは、取付作業を楽に行える。
【００１９】
請求項４に記載の屋根上取付具によれば、取付具本体が略門形体よりなるので屋根上取付具を頑丈な作りに構成でき、屋根上物品の安定した状態を維持できる。
【００２０】
請求項５に記載の屋根上取付具によれば、ボルト係止部が取付具本体と一体に形成されているので、ボルト体をボルト挿通孔に挿通させるだけで取付具本体を取り付けることができる。また、屋根上取付具を構成する部品の点数を少なくでき、屋根上での作業をきわめて楽に行える。さらに、部品点数が少ないので現場での取り扱いがしやすく、また在庫管理を簡易化することもできる。
【００２１】
請求項６に記載の屋根上取付具によれば、ボルト係止部が取付具本体とは別体に形成されているので、取付具本体の屋根載置部には大きめのボルト挿通（遊挿）孔を開設しておけばよい。したがって、種々のボルト体に対して１種のボルト係止部（拡開爪片）では対応しきれず種々のボルト係止部を必要とする場合でも、屋根載置部のボルト挿通孔が同じサイズの同種の取付具本体（ボルト係止部を除く部分）を使用することができるので、利便性が高い。また、ボルト体の形状、サイズが現場でなければわからない場合でも、１種類の取付具本体と複数種のボルト係止部を現場に持ち込めばよいから、輸送に関しても負担にならない。
【図面の簡単な説明】
【００２２】
【図１】本発明に係る屋根上取付具の第１実施形態の一例を示す説明図であり、屋根上取付具の波形屋根への取り付け前の状態を示した分解斜視図である。
【図２】同屋根上取付具の波形屋根への取り付け後の状態を示した一部破断斜視図である。
【図３】（ａ）、（ｂ）は、同屋根上取付具の施工手順を示す部分断面正面図である。
【図４】本発明に係る屋根上取付具の第１実施形態の他例を示す説明図であり、屋根上取付具の波形屋根への取り付け後の状態を示した斜視図である。
【図５】本発明に係る屋根上取付具の第１実施形態の他例を示す説明図であり、屋根上取付具の波形屋根への取り付け後の状態を示した斜視図である。
【図６】本発明に係る屋根上取付具の第１実施形態の他例（参考例）を示す説明図であり、屋根上取付具の波形屋根への取り付け後の状態を示した一部破断斜視図である。
【図７】同屋根上取付具の取付状態を示す側面図である。
【図８】本発明に係る屋根上取付具の第２実施形態の一例を示す説明図であり、屋根上取付具の波形屋根への取り付け前の状態を示した分解斜視図である。
【図９】同屋根上取付具の波形屋根への取り付け後の状態を示した斜視図である。
【図１０】（ａ）、（ｂ）は、同屋根上取付具の施工手順を示す部分断面正面図である。
【図１１】本発明に係る屋根上取付具の第２実施形態の他例を示す説明図であり、屋根上取付具の波形屋根への取り付け途中の状態を示した斜視図である。
【図１２】本発明に係る屋根上取付具の第２実施形態の他例を示す説明図であり、屋根上取付具の波形屋根への取り付け途中の状態を示した斜視図である。
【図１３】本発明に係る屋根上取付具の第２実施形態の他例（参考例）を示す説明図であり、屋根上取付具の波形屋根への取り付け途中の状態を示した斜視図である。
【図１４】同屋根上取付具の取付状態を示す側面図である。
【発明を実施するための形態】
【００２３】
以下に、本発明の種々の実施形態について、添付図面を参照しながら説明する。なお以下には、本発明の屋根上取付具の取付対象である波形屋根として、角波形屋根つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２４】
図１は、本発明に係る屋根上取付具の第１実施形態の一例を示す説明図であり、屋根上取付具の波形屋根への取り付け前の状態を示した分解斜視図である。図２は同屋根上取付具の波形屋根への取り付け後の状態を示した一部破断斜視図である。図３（ａ）、（ｂ）は、同屋根上取付具の施工手順を示す部分断面正面図である。
【００２５】
本例に使用される折板屋根Ｙは、山部Ｙ１と谷部Ｙ２とが交互に連続する屋根であって、複数の折板屋根材を側端縁の山部Ｙ１の頂部Ｙ１ａで重合し、その重合された頂部Ｙ１ａで、連結用のボルト体ＢとナットＣとの螺着によって連結した重ね式構造となっている。
【００２６】
ボルト体Ｂは、例えば図例のように、正面視で折板屋根Ｙと略同形状をなす支持金具Ｙ３に一体化され、その剣先状の先端を上方に突出させている。折板屋根Ｙをボルト体Ｂの上方から押し込むことで、ボルト体Ｂの剣先で頂部Ｙ１ａを貫通させて、折板屋根Ｙを取り付けるようにしている。
【００２７】
また、折板屋根Ｙの頂部Ｙ１ａを貫通したボルト体Ｂは、山座金Ｄを一体化したナットＣを螺着して固定される。ボルト体Ｂが貫通した折板屋根Ｙの孔（不図示）からの水の浸入を防止するために、山座金Ｄの下方には防水パッキンＥが取り付けられている。
【００２８】
屋根上取付具１０は、このように折板屋根Ｙの頂部Ｙ１ａを貫通し、ナットＣ止めされたボルト体Ｂに対して取り付けられる。
【００２９】
この屋根上取付具１０（取付具本体１０Ａ）は、金属板または硬質樹脂板を折曲形成してなり、底部に屋根載置部１２を有し、その屋根載置部１２の両側部より上方に折曲延出した一対の側壁部１５を備え、その両側壁部１５の上端より対向するように折曲延出した屋根上物品取付部１１を有した構造となっている。このように、本実施形態では、屋根上取付具１０は、屋根上物品取付部１１と屋根載置部１２とが離隔・重合された横筒体より形成されている。
【００３０】
この屋根載置部１２の中央部には、取付具本体１０Ａを折板屋根Ｙの頂部Ｙ１ａに設置したときにナットＣや山座金Ｄと接触しないような上げ底部１２ａが形成されており、その上げ底部１２ａの中央には、内周に拡開爪片２２を具設したボルト挿通孔２１よりなる、ボルト体Ｂに係止するためのボルト係止部２０が形成されている。
【００３１】
本例では、図１に示すように、ボルト係止部２０の拡開爪片２２は４片形成され、それらはボルト挿通孔２１の中央に向けてやや上向きに突出しており、それら拡開爪片２２の先端に囲まれた小孔２１ａが形成されている。
【００３２】
取付具本体１０Ａを、図３（ａ）、（ｂ）に示すように、折板屋根Ｙより突出したボルト体Ｂを上記小孔２１ａに挿入させるように上方より嵌め込んでいくと、拡開爪片２２はボルト体Ｂの軸部Ｂ１の外周面に当たることで弾性的に上方に変形するとともに小孔２１ａが拡開し、その状態で取付具本体１０Ａはボルト体Ｂの軸部Ｂ１を擦り下がっていき、屋根載置部１２の下面が折板屋根Ｙの頂部Ｙ１ａの上面に到達する。そうして、拡開爪片２２と、ボルト体Ｂの軸部Ｂ１のネジ溝とが係止し合った状態で、取付具本体１０Ａが折板屋根Ｙに固定される。このように、ボルト係止部２０の拡開爪片２２がボルト体Ｂの軸部Ｂ１のネジ溝に食い込んでいるので、取付具本体１０Ａがボルト体Ｂより外れることはない。
【００３３】
こうして、折板屋根Ｙに取り付けた屋根上取付具１０の屋根上物品取付部１１の上には、各種機器・部材類（不図示）を取り付けることができる。
【００３４】
このように、取付具本体１０Ａは、内周に拡開爪片２２を具設したボルト挿通孔２１よりなるボルト係止部２０を備え、拡開爪片２２でボルト挿通孔２１より突出したボルト体Ｂに係止する取付構造となっているので、折板屋根Ｙの頂部Ｙ１ａより突設したボルト体Ｂをボルト挿通孔２１に嵌挿させるだけで屋根上取付具１０を取り付けることができ、取付作業を簡単かつ迅速に行うことができる。
【００３５】
また、ボルト係止部２０の拡開爪片２２によれば種々の径のボルト体Ｂに対応させることができるから、１種の屋根上取付具１０を径の異なる種々のボルト体Ｂに対応させて利用でき、そのためボルト体Ｂの形状、サイズに合わせて多くの種類の取付具本体を準備する必要がない。つまり、少ない種類の屋根上取付具１０で多くの現場に対応することができる。また、ボルト体Ｂをボルト挿通孔２１に嵌挿させるだけの取付構造であるため、屋根上取付具１０間の固定強度をばらつきなく均一にすることができる。
【００３６】
また、本例の屋根上取付具１０は、ボルト係止部２０が取付具本体１０Ａと一体に形成されているので、屋根上取付具１０の部品点数を少なくでき、屋根上での作業をきわめて楽に行える。また、部品点数が少ないので在庫管理を簡易化できる。
【００３７】
さらに本例のものは、取付具本体１０Ａが屋根上物品取付部１１と屋根載置部１２とが離隔・重合された横筒体よりなるので屋根上取付具１０をコンパクトなサイズに構成でき、また屋根上物品取付部１１と屋根載置部１２とが離隔・重合された状態にあるので、屋根上物品をしっかりと折板屋根Ｙ上に取り付けることができる。また、屋根載置部１２が折板屋根Ｙの頂部Ｙ１ａに接しているので、屋根上取付具１０自体の安定もよい。
【００３８】
つぎに、本発明に係る屋根上取付具の第１実施形態の他２例について説明する。
【００３９】
図４、図５は、同他２例の説明図であり、各図は屋根上取付具の波形屋根への取り付け後の状態を示した斜視図である。なお、折板屋根Ｙおよびボルト体Ｂ、ナットＣ等については図１〜図３の例と同一のものを使用しているため、同一の符号を付してその説明は省略する。
【００４０】
これら２例の屋根上取付具１０はいずれも、板状体を折り曲げて形成したもので、図４のものは屋根上物品取付部１１と屋根載置部１２とが離隔・重合された横筒体に形成され、図５のものは平面視で屋根上物品取付部１１と屋根載置部１２とが並んで配されるように形成されている。
【００４１】
また屋根載置部１２には、図１の例と同様に、山座金Ｄを一体化したナットＣとの接触を回避した上げ底部１２ａが形成されており、その上げ底部１２ａの中央には、内周に拡開爪片２２を具設したボルト挿通孔２１よりなる、ボルト体Ｂに係止するためのボルト係止部２０が形成されている。
【００４２】
よって、これらの屋根上取付具１０によれば、図１の例と同様に、ボルト係止部２０による同様の効果が奏せられる。また、これらは板状体を折り曲げ成形して形成できるので、屋根上取付具１０自体の成形がしやすく、製造コストを廉価に抑えられる。特に図５のものでは、屋根上物品の設置面積を大きくとれるので、屋根上物品をより安定した状態に取り付けることができ、また屋根載置部１２の上方に十分な空間があいているので、取付状態を視認しやすく点検がしやすい。
【００４３】
なお、図５の屋根上取付具１０では、ボルト挿通孔２１の内周に３片の拡開爪片２２が具備されている。このように、拡開爪片２２が３片であっても、ボルト体Ｂの軸部Ｂ１を挟むように係止して固定される構造であるため係止が外れることはない。また、２片の拡開爪片２２を対向するように設けてもよい。
【００４４】
つぎに、本発明に係る屋根上取付具の第１実施形態のさらなる他例について説明する。
【００４５】
図６、図７は、同実施形態の同他例（参考例）の説明図であり、図６は屋根上取付具の波形屋根への取り付け後の状態を示した一部破断斜視図、図７は同屋根上取付具の取付状態を示す側面図である。なお、折板屋根Ｙおよびボルト体Ｂ、ナットＣ等については図１〜図３の例と同一のものを使用しているため、同一の符号を付してその説明は省略する。
【００４６】
この屋根上取付具１０は、取付具本体１０Ａが側面視で略門形体よりなり、屋根載置部１３は向かい合う一対の脚部１３ａと、それら脚部１３ａの中央部間に架け渡された橋架部１３ｂとよりなり、一方、屋根上物品取付部１１は平面視で橋架部１３ｂを中央に挟んで分離形成されている。
【００４７】
この橋架部１３ｂは、屋根上物品取付部１１よりも低く、かつナットＣおよび山座金Ｄとの接触を回避できる程度の高さに形成されており、その中央にはボルト係止部２０を構成する長方形状のボルト挿通孔２１が形成され、対向する２短辺には、相互に向かい合うように、やや上向きの２片の拡開爪片２２が形成されている。
【００４８】
このボルト係止部２０によっても、拡開爪片２２でボルト体Ｂに係止する構造となっているので、図１に示した屋根上取付具１０と同様の効果が奏せられる。
【００４９】
また、図６、図７の例に示した屋根上取付具１０は、屋根載置部１３を構成する脚部１３ａが横方向に長いため、同図に示すように折板屋根Ｙの頂部Ｙ１ａの形成方向にクロスさせて設置することが、確実かつ安定的に設置するうえで望ましい。
【００５０】
さらに、これらの屋根上取付具１０についても、ボルト係止部２０を設けた橋架部１３ｂの上方に十分な空間があいているので、取付状態を視認しやすく点検がしやすい。
【００５１】
ついで、本発明の第２実施形態について説明する。なお、第２実施形態では第１実施形態と同様に４例を例示しているが、いずれも折板屋根Ｙおよびボルト体Ｂ、ナットＣ等については第１実施形態と同一のものを使用しているため、同一の符号を付してその説明は省略する。
【００５２】
図８は、本発明に係る屋根上取付具の第２実施形態の一例を示す説明図であり、屋根上取付具の波形屋根への取り付け前の状態を示した分解斜視図である。図９は同屋根上取付具の波形屋根への取り付け後の状態を示した斜視図である。図１０（ａ）、（ｂ）は、同屋根上取付具の施工手順を示す部分断面正面図である。
【００５３】
本実施形態で示す屋根上取付具１０は、別体のボルト係止部（以下、ボルト係止体２０Ａという）を有している。
【００５４】
取付具本体１０Ａは、金属板または硬質樹脂板を折曲形成してなり、底部に屋根載置部１２を有し、その屋根載置部１２の両側部より上方に折曲延出した一対の側壁部１５を備え、その側壁部１５の上端より折曲延出した屋根上物品取付部１１を有した構造となっている。このように、本実施形態では、屋根上取付具１０は、屋根上物品取付部１１と屋根載置部１２とが重合した横筒体より形成されている。
【００５５】
なお、本実施形態では、以下に説明するように、別体のボルト係止体２０Ａを上方よりボルト体Ｂに装着させる取付構造となっているため、取り付けをしやすくするために屋根上物品取付部１１には中央に装着用の開口１１ａが形成されている。
【００５６】
屋根載置部１２の中央部には、取付具本体１０Ａを折板屋根Ｙの頂部Ｙ１ａに設置したときにナットＣおよび山座金Ｄと接触しないような上げ底部１２ａが形成されており、その上げ底部１２ａの中央には、ボルト体Ｂを遊挿するボルト遊挿孔１２ａａが形成されている。なお、すきまなく嵌挿できるボルト挿通孔でもよいが、作業性をよくするためにボルト遊挿孔１２ａａとするほうが望ましい。
【００５７】
また、ボルト係止体２０Ａは、金属または硬質樹脂で製された円盤体よりなり、その中央には内周に拡開爪片２２を具設したボルト挿通孔２１が形成されている。
【００５８】
本例では、図８に示すように、ボルト係止体２０Ａの拡開爪片２２は４片形成され、それらはボルト挿通孔２１の中央に向けてやや上向きに突出しており、それら拡開爪片２２の先端に囲まれた小孔２１ａが形成されている。
【００５９】
取付具本体１０Ａを、図１０（ａ）、（ｂ）に示すように、折板屋根Ｙより突出したボルト体Ｂを屋根載置部１２のボルト遊挿孔１２ａａに挿入させて、折板屋根Ｙの頂部Ｙ１ａに載置した後、屋根載置部１２の上面より上方に突出したボルト体Ｂにボルト係止体２０Ａを上方より嵌め込んでいくと、拡開爪片２２はボルト体Ｂの軸部Ｂ１の外周面に当たることで弾性的に上方に変形するとともに小孔２１ａが拡開し、その状態で取付具本体１０Ａはボルト体Ｂの軸部Ｂ１を擦り下がりながら、屋根載置部１２の内底面に到達する。そうして、拡開爪片２２とボルト体Ｂの軸部Ｂ１のネジ溝とが係止した状態で、取付具本体１０Ａが折板屋根Ｙに固定される。拡開爪片２２は斜め上向き状態でボルト体Ｂの軸部Ｂ１のネジ溝に食い込んでいるので、取付具本体１０Ａがボルト体Ｂより外れることはない。
【００６０】
こうして、折板屋根Ｙに取り付けた屋根上取付具１０の屋根上物品取付部１１の上には、各種機器・部材類（不図示）を取り付けることができる。
【００６１】
このように、屋根上取付具１０は、内周に拡開爪片２２を具設したボルト挿通孔２１よりなるボルト係止体２０Ａを備え、拡開爪片２２でボルト遊挿孔１２ａａ、ボルト挿通孔２１より突出したボルト体Ｂに係止する構成となっているので、折板屋根Ｙの頂部Ｙ１ａより突設したボルト体Ｂにボルト挿通孔２１を嵌挿させるだけで屋根上取付具１０を取り付けることができ、取付作業を簡単かつ迅速に行える。
【００６２】
また、本例の屋根上取付具１０は、ボルト係止体２０Ａが取付具本体１０Ａと別体に形成されているので、取付具本体１０Ａの屋根載置部１２には大きめのボルト遊挿孔１２ａａを開設しておけばよい。したがって、種々のボルト体Ｂに対して１種のボルト係止体２０Ａ（拡開爪片２２）では対応しきれず種々のボルト係止体２０Ａを必要とする場合でも、屋根載置部１２のボルト遊挿孔１２ａａが同じサイズの同種の取付具本体１０を使用することができるので、さらに利便性が高い。また、ボルト体Ｂの形状、サイズが現場でなければわからない場合でも、１種類の取付具本体１０Ａと複数種のボルト係止体２０Ａを現場に持ち込めばよいから、輸送に関しても負担にならない。
【００６３】
さらに本例のものは、取付具本体１０Ａが屋根上物品取付部１１と屋根載置部１２とが離隔・重合された横筒体よりなるので屋根上取付具１０をコンパクトなサイズに構成でき、また屋根上物品取付部１１と屋根載置部１２とが離隔・重合された状態にあるので、屋根上物品をしっかりと屋根上に取り付けることができる。また、屋根載置部１２が折板屋根Ｙの頂部Ｙ１ａに接しているので、屋根上取付具１０自体の安定もよい。
【００６４】
つぎに、本発明に係る屋根上取付具の第２実施形態の他２例について説明する。
【００６５】
図１１、図１２は、同他２例の説明図であり、各図は屋根上取付具の波形屋根への取り付け途中の状態を示した斜視図である。
【００６６】
これら２例の屋根上取付具１０の取付具本体１０Ａはいずれも、板状体を折り曲げて形成したもので、図１１のものは屋根上物品取付部１１と屋根載置部１２とが離隔・重合された横筒体に形成され、図１２のものは平面視で屋根上物品取付部１１と屋根載置部１２とが並んで配されるように形成されている。
【００６７】
また屋根載置部１２には、図８の例と同様に、ナットＣおよび山座金Ｄとの接触を回避した上げ底部１２ａが形成されており、その上げ底部１２ａの中央には、ボルト体Ｂを遊挿するボルト遊挿孔１２ａａが形成されている。また、取付具本体１０Ａとは別体に形成されたボルト係止体２０Ａの中央には、内周に拡開爪片２２を具設したボルト挿通孔２１が形成されている。
【００６８】
よって、これらの屋根上取付具１０によれば、図８の例と同様に、ボルト係止体２０Ａによる同様の効果が奏せられる。また、これらは板状体を折り曲げ成形して形成できるので、屋根上取付具１０自体の成形がしやすく、製造コストを廉価に抑えられる。特に図１２のものでは、屋根上物品の設置面積を大きくとれるので、屋根上物品をより安定した状態に取り付けることができ、また屋根載置部１２の上方に十分な空間があいているので、ボルト係止体２０Ａの装着作業がしやすいし、また取付状態を視認しやすく点検もしやすい。
【００６９】
なお、図１２の屋根上取付具１０のボルト係止体２０Ａは、ボルト挿通孔２１の内周に３片の拡開爪片２２が具備されている。このように、拡開爪片２２が３片であっても、ボルト体Ｂの軸部Ｂ１を挟むように係止して固定される構造であるため係止が外れることはない。また、２片の拡開爪片２２を対向するように設けてもよい。
【００７０】
つぎに、本発明に係る屋根上取付具の第２実施形態のさらなる他例について説明する。
【００７１】
図１３、図１４は、同実施形態の同他例（参考例）の説明図であり、図１３は屋根上取付具の波形屋根への取り付け途中の状態を示した斜視図、図１４は同屋根上取付具の取付状態を示す側面図である。
【００７２】
この屋根上取付具１０は、取付具本体１０Ａが側面視で略門形体よりなり、屋根載置部１３は向かい合う一対の脚部１３ａと、それら脚部１３ａの中央部間に架け渡された橋架部１３ｂとよりなり、一方、屋根上物品取付部１１は平面視で橋架部１３ｂを中央に挟んで分離形成されている。
【００７３】
この橋架部１３ｂは、屋根上物品取付部１１よりも低く、かつナットＣおよび山座金Ｄとの接触を回避できる程度の高さに形成されており、その中央には、ボルト体Ｂを遊挿するボルト遊挿孔１３ｂａが形成されている。また、取付具本体１０Ａとは別体に形成されたボルト係止体２０Ａには長方形状のボルト挿通孔２１が形成され、対向する２短辺には、相互に向かい合うように、やや上向きの２片の拡開爪片２２が形成されている。
【００７４】
よって、これらの屋根上取付具１０によれば、図８の例と同様に、ボルト係止体２０Ａによる同様の効果が奏せられる。
【００７５】
また、図１３、図１４の例に示した屋根上取付具１０は、屋根載置部１３を構成する脚部１３ａが横方向に長いため、同図に示すように折板屋根Ｙの頂部Ｙ１ａの形成方向にクロスさせて設置することが、確実かつ安定的に設置するうえで望ましい。
【００７６】
さらに、これらの屋根上取付具１０についても、屋根載置部１３の上方に十分な空間があいているので、ボルト係止体２０Ａの装着作業がしやすく、取付状態を視認しやすく点検もしやすい。
【符号の説明】
【００７７】
１０      屋根上取付具
１０Ａ      取付具本体
１１      屋根上物品取付部
１１ａ      開口
１２      屋根載置部
１２ａ      上げ底部
１２ａａ      ボルト遊挿孔
１３      屋根載置部
１３ａ      脚部
１３ｂ      橋架部
１３ｂａ      ボルト遊挿孔
１５      側壁部
２０      ボルト係止部
２０Ａ      ボルト係止体（ボルト係止部）
２１      ボルト挿通孔
２１ａ      小孔
２２      拡開爪片
Ｂ      ボルト体
Ｂ１      軸部
Ｃ      ナット
Ｄ      山座金
Ｙ      折板屋根（波形屋根）
Ｙ１      山部
Ｙ１ａ      頂部
Ｙ２      谷部
Ｙ３      支持金具
【図１】
0005256250.tif 000002
【図２】
0005256250.tif 000003
【図３】
0005256250.tif 000004
【図４】
0005256250.tif 000005
【図５】
0005256250.tif 000006
【図６】
0005256250.tif 000007
【図７】
0005256250.tif 000008
【図８】
0005256250.tif 000009
【図９】
0005256250.tif 000010
【図１０】
0005256250.tif 000011
【図１１】
0005256250.tif 000012
【図１２】
0005256250.tif 000013
【図１３】
0005256250.tif 000014
【図１４】
0005256250.tif 000015